(57)【要約】      （修正有）【課題】携帯型装置のカバーが本体に対してスムーズに摺動できるヒンジを提供する。【解決手段】ベース１１と、その上面に突設される壁部１１４とを有する下部スライドユニット１０と、前記壁部１１４の上部に固定されるメーンプレート２１と、該メーンプレート２１の底面に枢設される少なくとも１つのホイール２２を有する、前記下部スライドユニット１０の上部に設置される上部スライドユニット２０と、前記ベース１１とメーンプレート２１に挟持されるスライドプレート３１とを備える。さらに、該スライドプレート３１の一側端縁から垂直に延設されると共に、前記ホイール２２と壁部１１４に挟持されるガイドプレート３２とを有する、前記下部スライドユニット１０と上部スライドユニット２０の間に設置されるスライドプレートユニット３０とを備えてスライド式ヒンジを構成する。【選択図】図２
0003168662.tif 000002
【実用新案登録請求の範囲】
【請求項１】
ベースと、該ベースの上面に突設される壁部とを有する下部スライドユニットと、
前記壁部の上部に固定されるメーンプレートと、該メーンプレートの底面に枢設される少なくとも１つのホイールを有する、前記下部スライドユニットの上部に設置される上部スライドユニットと、
前記ベースとメーンプレートに挟持されるスライドプレートと、該スライドプレートの一側端縁から垂直に延設されると共に、前記ホイールと壁部に挟持されるガイドプレートとを有する、前記下部スライドユニットと上部スライドユニットの間に設置されるスライドプレートユニットとを備えることを特徴とするスライド式ヒンジ。
【請求項２】
前記下部スライドユニットに更に、スライドプレートユニットにおけるガイドプレートを押圧するための第１押圧装置が調節可能に設けられることを特徴とする請求項１に記載のスライド式ヒンジ。
【請求項３】
前記第１押圧装置は、横押圧プレートと、一端が該横押圧プレートに結合されると共に、他端が調節可能に前記壁部に貫設される少なくとも１つのネジとを有することを特徴とする請求項２に記載のスライド式ヒンジ。
【請求項４】
前記下部スライドユニットには２つのネジが設けられると共に、更に２つの横押圧ブロックが設けられ、その内該２つの横押圧ブロックは軟質材料であって前記横押圧プレートの一側面の両端に設置され、該２つのネジは、２つの横押圧ブロックに対応するように、一端が横押圧プレートの他側面に結合されると共に、他端が調節可能に前記壁部に貫設され、前記上部スライドユニットには２つのホイールが設けられ、それらのホイールは前記２つの横押圧ブロックと２つのネジに対応するように設置されることを特徴とする請求項３に記載のスライド式ヒンジ。
【請求項５】
前記上部スライドユニットに更に、スライドプレートユニットにおけるスライドプレートを上方から押圧するための第２押圧装置が調節可能に設けられることを特徴とする請求項１ないし請求項４の何れか一項に記載のスライド式ヒンジ。
【請求項６】
前記第２スライド装置は、メーンプレートの底面に設置される少なくとも１つの上部押圧プレートと、下部スライドユニットにおけるベースとスライドプレートユニットにおけるスライドプレートを挟持するように、該上部押圧プレートの底面に設置される、軟質材料からなる上部押圧ブロックと、調節可能にメーンプレートに貫設されて上部押圧プレートに結合される少なくとも１つのネジとを有する請求項５に記載のスライド式ヒンジ。
【請求項７】
前記下部スライドユニットには３つの下部押圧ブロックが設けられ、前記上部スライドユニットには３つの上部押圧ブロックと３つのネジが設けられると共に、上部押圧プレートが三角形を呈し、該３つの上部押圧ブロックはそれぞれ、ネジに対応するように上部押圧プレートの角に設置されることを特徴とすえる請求項６に記載のスライド式ヒンジ。
【請求項８】
前記下部スライドユニットにおけるベースは、上面に位置決めホイール容室が凹設されると共に、該位置決めホイール容室の側面から位置決め部材容室が凹設され、更に該位置決め部材容室に連通する２つのばね穴が穿設されるものであり、前記下部スライドユニットに更に、該位置決め部材容室に設置される位置決め部材と、対応するばね穴に設置される２つのばねとが設けられ、その内該位置決め部材の外縁に、位置決めホイール容室に位置する半円型の位置決め突起が形成され、それらのばねの一端が位置決め部材に連接され、他端が前記ベースに固定され、前記スライドプレートユニットに更に、ベースにおける位置決めホイール容室に対応するように、スライドプレートの底面に固定される２つの開き位置決めホイール及び２つの閉じ位置決めホイールとが設けられ、該２つの開き位置決めホイールと２つの閉じ位置決めホイールとは、スライドプレートの反対する両端に設置されることを特徴とする請求項１ないし請求項４の何れか一項に記載のスライド式ヒンジ。
【請求項９】
更に固定座と、一端が該固定座に枢設され、他端が下部スライドユニットにおけるベースに固設される枢軸とを有する、前記下部スライドユニットの横に設置される開閉ユニットと、トルク発生ユニットとが設けられ、該トルク発生ユニットは、枢軸に環設される２つの位置決めカム、複数の皿ばね及び固定部材とを有し、その内それらの皿ばねが１つの位置決めカムに隣設され、該固定部材が枢軸の端部に設置されることを特徴とする請求項１ないし請求項４の何れか一項に記載のスライド式ヒンジ。
【請求項１０】
本体と、カバーと、該本体とカバーの間に設置される少なくとも１つの請求項１ないし８の何れか一項に記載のスライド式ヒンジとを有し、その内該スライド式ヒンジにおけるベースが本体に固定され、スライドプレートがカバーに固定されることを特徴とする携帯型装置。
【請求項１１】
上面に少なくとも１つの収容室が形成される本体と、カバーと、該本体とカバーの間に設置される少なくとも１つの請求項９に記載のスライド式ヒンジとを有し、その内該スライド式ヒンジにおける固定座が本体における対応する収容室に固定され、スライドプレートがカバーに固定されることを特徴とする携帯型装置。
【考案の詳細な説明】
【技術分野】
【０００１】
本考案は、特にカバーと本体を有する携帯型装置において、本体に対してカバーをスムーズに摺動させた後に回転させるスライド式ヒンジ、及び該スライド式ヒンジを備えた携帯型装置に関するものである。
【背景技術】
【０００２】
スライド式ヒンジは、電子機器、特に携帯電話とノートパソコンに多く使用されているものであり、カバーと本体を有する電子機器にそれを取り付けることで、本体に対してカバーを摺動させた後に回転させることができる。このようなヒンジの一例としては、例えば台湾実用新案登録第M３５６３６０号に記載されたものが知られており、該ヒンジは、両側にスライド溝が形成される固定部材と、両側にスライド部が設けられるスライド部材とを備え、該スライド部材のスライド部を固定部材のスライド溝に嵌入することによって、固定部材に対してスライド部材を摺動させることができる。
【考案の概要】
【考案が解決しようとする課題】
【０００３】
しかしながら、前記従来のスライド式ヒンジでは、スライド部材と固定部材が接触しているおり、且つ接触面積も広いことから、該ヒンジを備えた装置は、カバーと本体の摺動が摩擦力により邪魔され、更に、スライド部とスライド溝の精度が少しでも悪かったら、スムーズに摺動できなくなる欠点があったため、いかにして従来のヒンジをよりスムーズに摺動させるかが当業者の課題となっている。
【０００４】
そこで、案出されたのが本考案であって、携帯型装置のカバーが本体に対してスムーズに摺動できるスライド式ヒンジ、及び該スライド式ヒンジを備えた携帯型装置を提供することを目的としている。
【課題を解決するための手段】
【０００５】
本考案は、上記の目的を達成するため、ベースと、該ベースの上面に突設される壁部とを有する下部スライドユニットと、前記壁部の上部に固定されるメーンプレートと、該メーンプレートの底面に枢設される少なくとも１つのホイールを有する、前記下部スライドユニットの上部に設置される上部スライドユニットと、前記ベースとメーンプレートに挟持されるスライドプレートと、該スライドプレートの一側端縁から垂直に延設されると共に、前記ホイールと壁部に挟持されるガイドプレートとを有する、前記下部スライドユニットと上部スライドユニットの間に設置されるスライドプレートユニットとを備えるスライド式ヒンジを提供するものである。
【０００６】
また、前記スライドプレートユニットにおけるガイドプレートを押圧するために、下部スライドユニットに更に第１押圧装置が調節可能に設けられ、該第１押圧装置は、横押圧プレートと、一端が該横押圧プレートに結合されると共に、他端が調節可能に前記壁部に貫設される少なくとも１つのネジとを有する。
【０００７】
摺動性を更に向上させるために、前記下部スライドユニットには２つのネジが設けられると共に、更に２つの横押圧ブロックが設けられ、その内該２つの横押圧ブロックは軟質材料であって前記横押圧プレートの一側面の両端に設置され、該２つのネジは、２つの横押圧ブロックに対応するように、一端が横押圧プレートの他側面に結合されると共に、他端が調節可能に前記壁部に貫設され、前記上部スライドユニットには２つのホイールが設けられ、それらのホイールは前記２つの横押圧ブロックと２つのネジに対応するように設置される。
【０００８】
また、スライドプレートユニットにおけるスライドプレートを上方から押圧するために、前記上部スライドユニットに更に第２押圧装置が調節可能に設けられ、該第２スライド装置は、メーンプレートの底面に設置される少なくとも１つの上部押圧プレートと、下部スライドユニットにおけるベースとスライドプレートユニットにおけるスライドプレートを挟持するように、該上部押圧プレートの底面に設置される、軟質材料からなる上部押圧ブロックと、調節可能にメーンプレートに貫設されて上部押圧プレートに結合される少なくとも１つのネジとを有する。
【０００９】
更に、スライドプレートをより安定的に挟持するため、前記下部スライドユニットには３つの下部押圧ブロックが設けられ、前記上部スライドユニットには３つの上部押圧ブロックと３つのネジが設けられると共に、上部押圧プレートが三角形を呈し、該３つの上部押圧ブロックはそれぞれ、ネジに対応するように上部押圧プレートの角に設置される。
【００１０】
また、前記下部スライドユニットにおけるベースは、上面に位置決めホイール容室が凹設されると共に、該位置決めホイール容室の側面から位置決め部材容室が凹設され、更に該位置決め部材容室に連通する２つのばね穴が穿設されるものであり、前記下部スライドユニットに更に、該位置決め部材容室に設置される位置決め部材と、対応するばね穴に設置される２つのばねとが設けられ、その内該位置決め部材の外縁に、位置決めホイール容室に位置する半円型の位置決め突起が形成され、それらのばねの一端が位置決め部材に連接され、他端が前記ベースに固定され、前記スライドプレートユニットに更に、ベースにおける位置決めホイール容室に対応するように、スライドプレートの底面に固定される２つの開き位置決めホイール及び２つの閉じ位置決めホイールとが設けられ、該２つの開き位置決めホイールと２つの閉じ位置決めホイールとは、スライドプレートの反対する両端に設置され、この構成により、スライドプレートを開き位置または閉じ位置まで摺動させた後に固定させることができる。
【００１１】
更に、前記スライド式ヒンジに更に開閉ユニットと、トルク発生ユニットとが設けられ、その内該開閉ユニットは固定座と、一端が該固定座に枢設され、他端が下部スライドユニットにおけるベースに固設される枢軸とを有し、該トルク発生ユニットは、枢軸に環設される２つの位置決めカム、複数の皿ばね及び固定部材とを有し、その内それらの皿ばねが１つの位置決めカムに隣設され、該固定部材が枢軸の端部に設置される。これによってヒンジが開閉可能となると共に、トルクを発生することができる。
【００１２】
本考案は更に携帯型装置を提供し、該携帯型装置は、本体と、カバーと、該本体とカバーの間に設置される少なくとも１つの前記スライド式ヒンジとを有し、その内該スライド式ヒンジにおけるベースが本体に固定され、スライドプレートがカバーに固定され、また、該本体に収容室を形成し、ベースを本体における対応する収容室に固定させてもよい。
【考案の効果】
【００１３】
本考案は上記の課題を解決するものであり、ホイールと壁部とによりガイドプレートを、ベースとメーンプレートとによりスライドプレートを挟持するので、スライドプレートユニットと上部、下部スライドユニットとを互いに有効的に固定させることができ、また、前記ホイールを設けることによって、スライドユニットの摺動性を向上させることができることから、本考案を備えた携帯型装置においては、カバーをベースに対してスムーズに摺動させることができる。
【図面の簡単な説明】
【００１４】
【図１】本考案に係るスライド式ヒンジの斜視図である。
【図２】本考案に係るスライド式ヒンジの平面視分解斜視図である。
【図３】本考案に係るスライド式ヒンジの底面視分解斜視図である。
【図４】本考案に係るスライド式ヒンジの正面図である。
【図５】本考案に係る携帯型装置の分解斜視図である。
【図６】本考案に係る携帯型装置において、カバーが閉じた状態を示す斜視図。
【図７】本考案に係る携帯型装置において、カバーが閉じた状態を示す断面図。
【図８】本考案に係る携帯型装置において、カバーを開き位置まで摺動させた状態を示す斜視図。
【図９】本考案に係る携帯型装置において、カバーを開き位置まで摺動させた状態を示す断面図。
【図１０】本考案に係る携帯型装置において、カバーを開き位置から摺動立たせた状態を示す斜視図。
【図１１】本考案に係る携帯型装置において、カバーを開き位置から摺動立たせた状態を示す断面図。
【図１２】本考案に係る携帯型装置における閉じ位置決めホイールの機能を示す平面図である。
【図１３】本考案に係る携帯型装置における開き位置決めホイールの機能を示す平面図である。
【考案を実施するための最良の形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１に示すように、本考案に係るスライド式ヒンジ１は、下部スライドユニット１０と、該下部スライドユニットの上部に設置される上部スライドユニット２０と、該下部スライドユニットと上部スライドユニットの間に設置されるスライドプレートユニット３０と、該下部スライドユニットの横に設置される開閉ユニット４０と、トルク発生ユニット５０とを有する。
【００１７】
図２ないし図４に示すように、前記下部スライドユニット１０は、ベース１１と、該ベース１１の上面に突設される壁部１１４と、位置決め部材１２と、２つのばね１３と、３つの下部押圧ブロック１５と、第１押圧装置とを具備し、その内該ベース１１は、上面に位置決めホイール容室１１１が凹設されると共に、該位置決めホイール容室１１１の側面から位置決め部材容室１１２が凹設され、更に該位置決め部材容室１１２に連通する２つのばね穴１１３が穿設されるものであり、該位置決め部材１２は、前記位置決め部材容室１１２に設置される、外縁に位置決めホイール容室１１１に位置する半円型の位置決め突起１２１が形成されるものであり、それらのばね１３は、対応するばね穴１１３に設置されると共に、一端が位置決め部材１２に連接され、他端が前記ベース１１に固定され、該３つの下部押圧ブロック１５は、軟質材料であってベース１１の上面に設置され、該第１押圧装置は、調節可能であってスライドプレートユニット３０の側面を押圧するためのものであり、本実施例においては、横押圧プレート１４と、軟質材料である２つの横押圧ブロック１４１と、２つのネジ１６とを有し、それらの部材の連結関係は、例えば該横押圧プレート１４を、一側面が壁部１１４の内側に隣接するように設置し、該２つの横押圧ブロック１４１を、横押圧プレート１４の他側面の両端に設置し、該２つのネジ１６をそれぞれ、一端が対応する横押圧ブロック１４１に螺合すると共に、他端が調節可能に前記壁部１１４及び横押圧プレート１４に貫設するのが好ましいが、該２つのネジ１６の一端を横押圧プレート１４に固定し、他端を調節可能に壁部１１４に貫設すると共に、横押圧ブロック１４１を横押圧プレート１４に直接に固定するのもよい。これによってネジ１６を回して横押圧プレート１４の位置を調整することができる。尚、本実施例においては、前記横押圧プレート１４はポリアセタール（ＰＯＭ）からなり、前記下部押圧ブロック１５はＰＥＴフイルム（Polyethylene terephthalate polyester film）からなる。
【００１８】
前記上部スライドユニット２０は、前記ベース１１における壁部１１４の上部に固定されるメーンプレート２１と、前記２つの横押圧ブロック１４１と対応するように該メーンプレート２１の底面に枢設される２つのホイール２２と、第２押圧装置とを具備し、本実施例においては、該第２押圧装置は、三角形である上部押圧プレート２３と、軟質材料である３つの上部押圧ブロック２３１及び３つのネジ２４とを有し、それらの部材の連結関係は、例えば該上部押圧プレート２３をメーンプレート２１の底面に設置し、該３つの上部押圧ブロック２３１をそれぞれ、該上部押圧プレート２３の底面の角に設置し、該３つのネジ２４を、調節可能にメーンプレート２１及び上部押圧プレート２３に貫設して対応する上部押圧ブロック２３１に螺合するのが好ましいが、該３つのネジ２４の一端を調節可能にメーンプレート２１に貫設し、他端を上部押圧プレート２３に固定すると共に、上部押圧ブロック２３１を上部押圧プレート２３に直接固定するのもよい。これによってネジ２４を回して上部押圧プレート２３の位置を調整することができる。尚、本実施例においては、前記上部押圧ブロック２３１はポリアセタール（ＰＯＭ）からなる。
【００１９】
前記スライドプレートユニット３０は、前記下部スライドユニット１０における下部押圧ブロック１５と上部スライドユニット２０における上部押圧ブロック２３１に挟持されるスライドプレート３１と、該スライドプレート３１の一側端縁から垂直に延設されると共に、上部スライドユニット２０におけるホイール２２と下部スライドユニット１０における横押圧ブロック１４１に挟持されるガイドプレート３２と、ベース１１における位置決めホイール容室１１１に対応するように、スライドプレート３１の底面に固定される２つの開き位置決めホイール３３及び２つの閉じ位置決めホイール３４とを有し、該２つの開き位置決めホイール３３と２つの閉じ位置決めホイール３４とは、スライドプレート３１の反対する両端に設置される。
【００２０】
前記開閉ユニット４０は、固定座４１と、一端が該固定座４１に枢設され、他端が下部スライドユニット１０におけるベース１１に固設される枢軸４２とを有する。
【００２１】
該トルク発生ユニット５０は、前記枢軸４２に環設される２つの位置決めカム５１、複数の皿ばね５２及び固定部材５３とを有し、その内該２つの位置決めカム５１の互いに隣接する端面に、位置決め機能を果たすための対応する凹部と突起が形成され、それらの皿ばね５２は１つの位置決めカム５１に隣設され、該固定部材５３は枢軸４２の端部に設置され、例えばナットを用いることができる。この構成においては、ヒンジを回転させる際、皿ばね５２の弾力によって位置決めカム５１にトルクが発生する。
【００２２】
図２及び図５に示すように、本考案に係る携帯型装置６は、上面に２つの収容室６１１が形成される本体６１と、カバー６２と、該本体６１とカバー６２の間に設置される２つ前記スライド式ヒンジ１とを有し、その内該スライド式ヒンジ１における固定座４１は本体６１における対応する収容室６１１に固定され、スライドプレート３１はカバー６２に固定される。
【００２３】
図２及び図６ないし図１１は、携帯型装置６を使用する時の操作を示す図であり、カバー６２を閉じた状態で力を加えると、カバー６２とスライドプレートユニット３０は、共に下部スライドユニット１０及び上部スライドユニット２０に対して摺動し、そして定位置まで移動した後（図８及び図９参照）、２つの開閉ユニット４０を介して下部スライドユニット１０、上部スライドユニット２０及びスライドプレートユニット３０を回転させれば、カバー６２を本体６１に対して垂直となるように持ち上げて使用することができる（図１０及び１１参照）。一方、不用時は、先ずカバー６２を本体６１に平行となるように押し下げて（図８及び図９参照）、そしてカバー６２を閉じ位置まで押せばよい（図６及び７参照）。
【００２４】
図２ないし図５に示すように、前記操作中、スライドプレートユニット３０は、ガイドプレート３２が、第１押圧装置における横押圧ブロック１４１とホイール２２に挟持されると共に、スライドプレート３１が、下部押圧ブロック１５及び第２押圧装置における上部押圧ブロック２３１に挟持されるので、摺動方向上でしか動かなく、上部スライドユニット１０と下部スライドユニット２０とにしっかりと装着され、また、ホイール２２は回転可能なので、摺動への阻害が低い。更に、上部押圧ブロック２３１及び下部押圧ブロック１５の数量は２つでなく３つであるので、３点接触方式でスライドプレート３１をより安定的に挟持することができると共に、上部押圧ブロック２３１、下部押圧ブロック１５及び横押圧ブロック１４１は軟質材料（ＰＯＭとPolyethylene terephthalate polyester film）からなるので、摩擦力を低減することができるだけでなく、ネジ２４、ネジ１６を回すことでスライドプレート３１とガイドプレート３２への押圧力を調節できる上部押圧ブロック２３１及び横押圧ブロック１４１と共に制作精度の不足を吸収することができる。本考案はこのような構成を有するので、カバー６２を本体６１に対してスムーズに摺動させることができる。
【００２５】
図２、図１２及び図１３に示すように、本考案のヒンジに開き位置決めホイール３３と閉じ位置決めホイール３４が設けられているので、カバー６２を開き位置（図１３参照）または閉じ位置（図１２参照）まで移動した後に該位置に定着させ、カバー６２が勝手に動くことを防止することができる。一方、少し力を入れれば、カバー６２を定着状態から反対側へ移動させることができる。例えばカバー６２が閉じ位置にある時、２つの閉じ位置決めホイール３４はベース１１における位置決めホイール溝１１１に位置し且つ位置決め部材１２の位置決め突起１２を挟持するから、カバー６２は閉じ位置に定着される。この状態でカバー６２に力を加えると、半円形である位置決め突起１２１は閉じ位置決めホイール３４により位置決めホイール溝１１１から離間する方向へ押圧されるので、カバー６２を開き位置へ摺動させることができる。
【００２６】
また、カバー６２は、閉じた状態では本体６１に密着するから、持ち上げようとしても、端縁が本体６１に当たるから、カバー６２が不意に開いてしまうことを防止することができる。
【符号の説明】
【００２７】
１…スライド式ヒンジ、
１０…下部スライドユニット、
１１…ベース、
１１１…位置決めホイール溝、
１１２…置決め部材溝、
１１３…ばね穴、
１１４…壁部、
１２…位置決め部材、
１２１…位置決め突起、
１３…ばね、
１４…横押圧プレート、
１４１…横押圧ブロック、
１５…下部押圧ブロック、
１６…ネジ、
２０…上部スライドユニット、
２１…メーンプレート、
２２…ホイール、
２３…上部押圧プレート、
２３１…上部押圧ブロック、
２４…ネジ、
３０…スライドプレートユニット、
３１…スライドプレート、
３２…ガイドプレート、
３３…開き位置決めホイール、
３４…閉じ位置決めホイール、
４０…開閉ユニット、
４１…固定座、
４２…枢軸、
５０…トルク発生ユニット、
５１…位置決めカム、
５２…皿ばね、
５３…固定部材、
６…携帯型装置、
６１…本体、
６１１…収容室、
６２…カバー。
【図１】
0003168662.tif 000003
【図２】
0003168662.tif 000004
【図３】
0003168662.tif 000005
【図４】
0003168662.tif 000006
【図５】
0003168662.tif 000007
【図６】
0003168662.tif 000008
【図７】
0003168662.tif 000009
【図８】
0003168662.tif 000010
【図９】
0003168662.tif 000011
【図１０】
0003168662.tif 000012
【図１１】
0003168662.tif 000013
【図１２】
0003168662.tif 000014
【図１３】
0003168662.tif 000015